(57)【特許請求の範囲】
【請求項１】
筐体と、
上記筐体に設けられた、電子機器が装着される装着部と、
上記筐体の底面部に設けられ、上記装着部に装着された電子機器から供給される音声を放音する、下向きの振動板を有する放音部と、
上記筐体の底面部との間に隙間が空くようにして当該底面部に取り付けられ、上記放音部から下方に発せられた音を、当該隙間から設置面に対して平行な方向に拡散させる拡散板と
を具え、
上記拡散板の上記底面部と対応する上面部に、上記振動板の中心と対向する位置を頂上とする山状の凸部が形成されるとともに、当該凸部の後方に反射板が設けられ、当該凸部の傾斜によって、上記放音部から下方に発せられた音を設置面に対して平行な方向に拡散させるとともに、当該反射板によって、後方に拡散する音を前方に反射させ、
上記凸部は、頂上から上記拡散板の上面まで下る傾斜を有する前方の傾斜部と、頂上から上記拡散板の上面より下方に窪んだ窪みの底まで下って当該窪みの底から上面まで上る傾斜を有する後方の傾斜部とでなる
クレードル装置。
【請求項２】
上記筐体は、
末広がりの鐘状でなり、
上記装着部は、
上記筐体の上端部に設けられている
請求項１に記載のクレードル装置。
【請求項３】
上記装着部に、種々の形状の電子機器を装着するためのアタッチメントが着脱可能に取り付けられる
請求項１に記載のクレードル装置。
【請求項４】
上記筐体に、上方から外部接続ケーブルの円柱状プラグが差し込まれる外部接続端子が設けられている
請求項１に記載のクレードル装置。
【請求項５】
上記筐体の内部に、弾性素材でなるダンパーを介してコネクタ基板が保持され、
当該コネクタ基板に固着されたコネクタが、上記筐体の装着部から露出する
請求項１に記載のクレードル装置。
【発明の詳細な説明】
【技術分野】
【０００１】
本発明はクレードル装置に関し、例えば、音声出力機能を有するクレードル装置に適用して好適なものである。
【背景技術】
【０００２】
従来、電子機器用のクレードル装置として、種々のクレードル装置が提案されている。この種のクレードル装置は、単に電子機器を載置するだけでなく、電子機器を載置するときに、載置面に設けられたコネクタが電子機器側のコネクタに差し込まれることで、電子機器と電気的に接続されるようになっている（例えば、特許文献１参照）。
【０００３】
これにより、クレードル装置は、例えば、電子機器に電力を供給して電子機器を充電したり、電子機器と外部機器とを中継して電子機器と外部機器との間で通信したりできるようになっている。
【０００４】
また、デジタルオーディオプレイヤ（以下、ＤＡＰとも呼ぶ）用のクレードル装置として、筐体の前面に左右のスピーカが設けられ、ＤＡＰから供給される音楽をこのスピーカから出力するようにしたスピーカ付クレードル装置も存在する。
【先行技術文献】
【特許文献】
【０００５】
【特許文献１】特開２００８−１６６９５１公報
【発明の概要】
【発明が解決しようとする課題】
【０００６】
ところで、スピーカ付クレードル装置では、筐体の前面部にスピーカを設ける分、スピーカを有していない一般的なクレードル装置と比して、前面部を大きくしなければならない。さらにＤＡＰを装着した状態でも筐体が倒れないよう、筐体の前面部と共に底面部も大きくする（具体的には奥行きを長くする）必要があった。
【０００７】
このように、従来のスピーカ付クレードル装置では、一般的なクレードル装置と比して大きな筐体が必要であり、小型化が困難であるという問題があった。
【０００８】
本発明は以上の点を考慮してなされたもので、放音部（スピーカ）を有しながらも容易に小型化し得るクレードル装置を提案しようとするものである。
【課題を解決するための手段】
【０００９】
かかる課題を解決するため本発明においては、筐体と、筐体の上端部に設けられた、電子機器が装着される装着部と、筐体の底面部に設けられ、装着部に装着された電子機器から供給される音声を放音する、下向きの振動板を有する放音部と、筐体の底面部との間に隙間が空くようにして当該底面部に取り付けられ、放音部から下方に発せられた音を、当該隙間から設置面に対して平行な方向に拡散させる拡散板とを有し、拡散板の底面部と対応する上面部に、振動板の中心と対向する位置を頂上とする山状の凸部が形成されるとともに、当該凸部の後方に反射板が設けられ、当該凸部の傾斜によって、放音部から下方に発せられた音を設置面に対して平行な方向に拡散させるとともに、当該反射板によって、後方に拡散する音を前方に反射させ、凸部は、頂上から拡散板の上面まで下る傾斜を有する前方の傾斜部と、頂上から拡散板の上面より下方に窪んだ窪みの底まで下って当該窪みの底から上面まで上る傾斜を有する後方の傾斜部とでなるようにした。
【００１０】
このように、筐体の底面部にのみ下向きの振動板を有する放音部を設けるようにした。こうすることで、筐体の底面部を放音部の振動板に応じた大きさにしさえすれば、他の部分については、電子機器を装着した状態でも倒れない範囲で、任意の大きさとすることができる。つまり、筐体の底面部以外の部分については、容易に小さくすることができる。
【発明の効果】
【００１１】
本発明によれば、筐体の底面部を放音部の振動板に応じた大きさにしさえすれば、他の部分については、電子機器を装着した状態でも倒れない範囲で、任意の大きさとすることができる。つまり、筐体の底面部以外の部分については、容易に小さくすることができ、かくして、放音部（スピーカ）を有しながらも、筐体の前面に放音部を設ける場合と比して、容易に小型化し得るクレードル装置を実現できる。
【図面の簡単な説明】
【００１２】
【図１】オーディオシステムの構成を示す略線図である。
【図２】クレードル装置の外観構成（１）を示す略線図である。
【図３】クレードル装置の外観構成（２）を示す略線図である。
【図４】クレードル装置の外観構成（３）を示す略線図である。
【図５】ディフューザによる音の拡散の説明に供する略線図である。
【図６】ＡＣアダプタとの接続の説明に供する略線図である。
【図７】ディフューザの構成（１）を示す略線図である。
【図８】ディフューザの構成（２）を示す略線図である。
【図９】クレードル装置の各部詳細（１）を示す略線図である。
【図１０】クレードル装置の各部詳細（２）を示す略線図である。
【発明を実施するための形態】
【００１３】
以下、発明を実施するための形態（以下、実施の形態とする）について説明する。尚、説明は以下の順序で行う。
１．実施の形態
２．変形例
【００１４】
＜１．実施の形態＞
［１−１．オーディオシステムの構成］
図１（Ａ）及び（Ｂ）において、１は全体として、オーディオシステムを示す。このオーディオシステム１は、ＤＡＰ（デジタルオーディオプレイヤ）２と、このＤＡＰ２用のスピーカ付クレードル装置３とで構成される。尚、スピーカ付クレードル装置３を、ここでは、単にクレードル装置３とも呼ぶ。
【００１５】
このオーディオシステム１では、クレードル装置３を床などの設置面に置いて、このクレードル装置３の筐体３Ａの上端部に設けられた装着部４の載置面４Ａに、ＤＡＰ２を立てるようにして載置する。このとき、載置面４Ａから突設するコネクタ４Ｂが、ＤＡＰ２の底面部に設けられたコネクタ（図示せず）に差し込まれることで、クレードル装置３とＤＡＰ２とが電気的に接続される。
【００１６】
ここで、ＤＡＰ２に対して音楽再生操作が行われると、ＤＡＰ２から音楽データに基づく音声信号がクレードル装置３に供給される。そしてこの音声信号に基づく音声がクレードル装置３の筐体３Ａの底面部に設けられたスピーカＳＰから出力される。
【００１７】
このように、オーディオシステム１では、ＤＡＰ２に蓄積されている音楽データに基づく音声を、クレードル装置３のスピーカＳＰから出力できるようになっている。
【００１８】
さらにオーディオシステム１では、クレードル装置３の筐体３ＡにＡＣアダプタ５が接続されている場合、ＡＣアダプタ５を介してクレードル装置３に入力される電力を、ＤＡＰ２に供給することで、ＤＡＰ２のバッテリを充電できるようにもなっている。
【００１９】
このように、オーディオシステム１では、クレードル装置３にＤＡＰ２が載置されると、クレードル装置３が、ＤＡＰ２の外付スピーカとして機能すると共に、ＤＡＰ２の充電器として機能するようになっている。以下、このクレードル装置３について、さらに詳しく説明する。
【００２０】
［１−２．クレードル装置の外観構成］
まず、図２乃至図４を用いて、クレードル装置３の外観構成を説明する。図２及び図３に示すように、クレードル装置３の筐体３Ａは、トランペット等の金管楽器の先端部分を下向きにして、床などの設置面に立てたような、末広がりの鐘状をなしている。
【００２１】
尚、ここでは、クレードル装置３の前方から見て、左から右への方向をＸ方向、下から上への方向をＹ方向、前から後ろへの方向をＺ方向と定義する。
【００２２】
この筐体３Ａは、その上端部に装着部４が設けられ、さらにこの装着部４に形成された載置面４Ａにコネクタ４Ｂが突設されている。またこの筐体３Ａには、その底面部にスピーカＳＰが設けられている。
【００２３】
筐体３Ａの装着部４には、載置面４Ａの前側と後ろ側に、上方に延びる半円盤状の前側凸部４Ｃと後ろ側凸部４Ｄが形成されている。よって、載置面４ＡにＤＡＰ２が載置されると、この前側凸部４Ｃと後ろ側凸部４Ｄとの間に、ＤＡＰ２の下端部が挟み込まれることになる。
【００２４】
ここで、載置面４Ａは、ＤＡＰ２の底面部とほぼ同形状（例えば横長長方形）であるが、ＤＡＰ２の底面部よりも前後方向に数ミリ程度大きく形成されている。
【００２５】
これにより、載置面４ＡにＤＡＰ２が載置されたときに、載置面４Ａの前後に位置する前側凸部４Ｃ及び後ろ側凸部４Ｄと、ＤＡＰ２の下端部との間に数ミリ程度の隙間が発生する。
【００２６】
この隙間は、シリコンカバーやクリアケースに入れられたＤＡＰ２を、そのまま装着部４に装着できるように（すなわち載置面４Ａに載置できるように）するためのものである。
【００２７】
実際、例えばシリコンカバーに入れられたＤＡＰ２を載置面４Ａに載置すると、ＤＡＰ２の下端部がシリコンカバーの厚みにより前側凸部４Ｃ及び後ろ側凸部４Ｄとの間にほぼ隙間無く挟み込まれる。
【００２８】
これにより、クレードル装置３は、シリコンカバーに入れられたままのＤＡＰ２を、前側凸部４Ｃ及び後ろ側凸部４Ｄと、ＤＡＰ２のコネクタに差し込まれたコネクタ４Ｂとで支持することができ、載置面４Ａに安定した状態で載置できる。
【００２９】
さらに、このクレードル装置３には、シリコンカバーやクリアケースに入れられていない裸のＤＡＰ２でも安定した状態で載置できるよう、アタッチメント６が用意されている。
【００３０】
このアタッチメント６は、装着部４に着脱自在に取り付けることができ、取り付けられたときに、前側凸部４Ｃの内側の面に接する厚さ数ミリ程度の前部６Ａと、後ろ側凸部４Ｄの内側の面に接する厚さ数ミリ程度の後部６Ｂとを有している。
【００３１】
尚、図２に示すクレードル装置３は、アタッチメント６を装着した状態であり、アタッチメント６を取り外した状態については、後述する図９に示す。
【００３２】
ここで実際、このアタッチメント６を取り付けた状態で、裸のＤＡＰ２が載置面４Ａに載置されたとする。すると、前側凸部４Ｃ及び後ろ側凸部４Ｄと、裸のＤＡＰ２の下端部との間に、アタッチメント６の前部６Ａ及び後部６Ｂが位置することで、裸のＤＡＰ２の下端部が、この前部６Ａ及び後部６Ｂとの間にほぼ隙間無く挟み込まれる。
【００３３】
これにより、クレードル装置３は、裸のＤＡＰ２を、前側凸部４Ｃ及び後ろ側凸部４Ｄと、ＤＡＰ２のコネクタに差し込まれたコネクタ４Ｂと、アタッチメント６とで支持することができ、載置面４Ａに安定した状態で載置できる。
【００３４】
尚、クレードル装置３は、装着部４の載置面４Ａが、床などの設置面に対して完全に水平ではなく、後ろ側が下がるように傾斜していることで、ＤＡＰ２を載置したときに、ＤＡＰ２の前面部が斜め上を向くようになっている。
【００３５】
因みに、ここで言う水平とは、重力方向に対して直角であることを指すものではなく、クレードル装置３が置かれた床などの設置面に対して平行であることを指すものである。
【００３６】
一方、筐体３Ａの底面部は、図２及び図４（Ａ）に示すように、上端部と比して十分大きな円形となっている。さらに筐体３Ａの側面部は、図２及び図３に示すように、上端部からこの底面部にかけて滑らかに広がる曲線で形成されている。これにより、筐体３Ａは、全体として末広がりの鐘状をなしている。
【００３７】
また筐体３Ａをこのような形状としたことで、クレードル装置３は、図１（Ｂ）に示すように、ＤＡＰ２を筐体３Ａの上端部に載置したときに、全体として一体型フォルムに見得るようになっている。
【００３８】
さらに図４（Ａ）に示すように、筐体３Ａの底面部には、底面部よりも一回り小さい円形の開口３Ｂが、底面部の前方寄りに形成されている。そしてこの開口３Ｂから、底面部と平行になるようにして、スピーカＳＰの一部である円盤状の振動板ＳＰａの前面と当該振動板ＳＰａの外周に設けられたエッジＳＰｂとが露出するようになっている。すなわち、筐体３Ａの底面部には、振動板ＳＰａを下向きにしてスピーカＳＰが配置されている。
【００３９】
さらに図３及び図４（Ｂ）に示すように、筐体３Ａの底面部には、筐体３Ａの土台となる、底面部と同心円形の土台板７が、底面部と平行で、底面部との間に数ミリ程度の隙間が空くようにして取り付けられている。この土台板７は、円形の開口３Ｂ全体を覆う大きさで、且つ筐体３Ａを十分安定して支持できる大きさであればよく、ここでは、一例として、底面部の０．９倍程度の大きさとなっている。
【００４０】
この土台板７は、筐体３Ａの土台として機能するばかりでなく、図５に示すように、筐体３Ａの底面部に位置する下向きのスピーカＳＰから下方に発せられた音を、底面部との間の隙間から水平方向に拡散させる拡散板としても機能する。ゆえに、ここでは、この土台板７を、ディフューザ（拡散板）７とも呼ぶ。尚、このディフューザ７の詳細については後述する。
【００４１】
このようにクレードル装置３は、筐体３Ａの底面部に位置する下向きのスピーカＳＰから発せされた音をディフューザ７と底面部との間の隙間から水平方向に拡散させることで、この音を、前方にいるユーザに聴取させることができるようになっている。
【００４２】
またクレードル装置３は、筐体３Ａの底面部にのみ下向きの振動板ＳＰａを有するスピーカＳＰを設けた構成となっている。これにより、底面部をスピーカＳＰに応じた大きさにしさえすれば、他の部分については、ＤＡＰ２を装着した状態でも倒れない範囲で、任意の大きさとすることができ、容易に筐体３Ａを小型化がすることができる。
【００４３】
さらに図２に示すように、クレードル装置３の筐体３Ａには、側面部の後ろ側に、後方に突出するようにして半円柱形状でなる、ＡＣアダプタ接続部８が形成されている。
【００４４】
このＡＣアダプタ接続部８には、その上端部の平坦面８Ａに、下向き丸穴状のＤＣ入力端子８Ｂが設けられている。このＤＣ入力端子８Ｂに、図６に示すように、ＡＣアダプタ５のケーブル５Ａのケーブル先端部５Ｂに設けられた円柱形状のプラグ（図示せず）を上方から挿入することで、クレードル装置３とＡＣアダプタ５とが接続される。
【００４５】
またＤＣ入力端子８Ｂにプラグが挿入されると、ケーブル先端部５Ｂは、ＤＣ入力端子８Ｂに挿入されたプラグを中心として平坦面８Ａに平行な方向に首振り可能な状態となる。
【００４６】
ここで、実際、ＡＣアダプタ５のケーブル５Ａが引っ張られると、ケーブル先端部５Ｂが、引っ張られた方向に首を振る。これにより、クレードル装置３は、ＡＣアダプタ５のケーブルが引っ張られたときに、この力が直接筐体３Ａに及ぶことを軽減して、筐体３Ａが転倒するのを抑止できるようになっている。
【００４７】
またＡＣアダプタ接続部８の上端部の平坦面８Ａは、完全に水平ではなく、後ろ側が下がるように傾斜している。これにより、ＡＣアダプタ５のケーブル５Ａを、ＡＣアダプタ接続部８の上端部から下方に容易に下ろすことができ、結果として、ケーブル５Ａを容易に引き回すことができる。
【００４８】
［１−３．ディフューザの構成］
次に、筐体３Ａの底面部に取り付けられたディフューザ７の構成について、図７及び図８を用いて、さらに詳しく説明する。
【００４９】
ディフューザ７には、筐体３Ａの底面部と対向する上面部の外周上に、上方に延びる円柱状の柱部７Ａが４個等間隔で形成されている。
【００５０】
一方、筐体３Ａの底面部には、図４（Ａ）に示すように、底面部の外周より内側で開口３Ｂより外側の円周上に、丸穴状のディフューザ取付穴３Ｃが４個等間隔で形成されている。
【００５１】
具体的には、底面部の中心から見て、例えば、前方左４５度及び右４５度の位置と、後方左４５度及び右４５度の位置との４箇所に、ディフューザ取付穴３Ｃが形成されている。
【００５２】
そして、これら４個のディフューザ取付穴３Ｃに、ディフューザ７の上面部に形成された４個の柱部７Ａ（図７）の上端部分が挿入されることで、ディフューザ７が筐体３Ａの底面部に取り付けられる。
【００５３】
このとき、ディフューザ７の上面部に形成された４個の柱部７Ａは、それぞれ上面部の中心から見て、前方左４５度、前方右４５度、後方左４５度、後方右４５度に位置することになる。
【００５４】
またこれら４個の柱部７Ａは、筐体３Ａの底面部に取り付けられたときに、ディフューザ７の上面部と筐体３Ａの底面部との間に所定幅の隙間が空くように、その高さが選定されている。
【００５５】
尚、ここでは、前方左４５度に位置する柱部７Ａを前方左側柱部７Ａａ、前方右４５度に位置する柱部７Ａを前方右側柱部７Ａｂ、後方左４５度に位置する柱部７Ａを後方左側柱部７Ａｃ、後方右４５度に位置する柱部７Ａを後方右側柱部７Ａｄと呼ぶ。
【００５６】
さらにこのディフューザ７の上面部には、４個の柱部７Ａａ〜７Ａｄの内側に、筐体３Ａの底面部に配置されたスピーカＳＰの振動板ＳＰａの中心と対向する位置を頂上とする山状の凸部７Ｂが形成されている。
【００５７】
この凸部７Ｂは、真上から見ると、頂上を中心とする円形でなり、筐体３Ａに取り付けられたときに、頂上から見て、後方左約４５度から後方右約４５度までの前方約２７０度の範囲に含まれる前方傾斜部７Ｂａと、残りの後方約９０度の範囲に含まれる後方傾斜部７Ｂｂとでなる。
【００５８】
前方傾斜部７Ｂａは、頂上から凸部７Ｂの外側の平坦面までなだらかに下るよう傾斜している。具体的に、この前方傾斜部７Ｂａの傾斜は、例えば、下方に反るような曲線を描く形状となっている。また、凸部７Ｂの外側の平坦面は、スピーカＳＰの振動板ＳＰａと平行な面である。
【００５９】
一方、後方傾斜部７Ｂｂには、その中央部分に、平坦面より下方に掘り下げられた窪みが形成されている。後方傾斜部７Ｂｂは、頂上からこの窪みまで前方傾斜部７Ｂａよりも急な角度で下るよう傾斜して、さらにこの窪みから外側の平坦面までなだらかに上るよう傾斜している。
【００６０】
さらにディフューザ７の上面部には、後方傾斜部７Ｂｂの後方に、後方左側柱部７Ａｃから後方右側柱部７Ａｄに架けて、平坦面に対して垂直な壁部７Ｃが形成されている。
【００６１】
この壁部７Ｃは、前方に弓なりに反った形状でなり、その高さが、筐体３Ａの底面部とディフューザ７の上面との間に空く隙間の幅と等しい高さに選定されている。
【００６２】
したがって、筐体３Ａの底面部にディフューザ７が取り付けられると、この壁部７Ｃにより後方傾斜部７Ｂｂの後方が塞がれる。
【００６３】
このような構成のディフューザ７を、筐体３Ａの底面部に取り付けた状態で、筐体３Ａの底面部に設けられた下向きのスピーカＳＰから下方に音を発したとする。
【００６４】
すると、この音の一部は、凸部７Ｂの前方傾斜部７Ｂａの傾斜により前方約２７０度の範囲で水平方向に拡散させられて、図５に示したように、筐体３Ａの底面部とディフューザ７の上面部との間の隙間から放出させられる。
【００６５】
このように、ディフューザ７は、下向きのスピーカＳＰから下方に発せられた音を、筐体３Ａを中心として、前方約２７０度の範囲で水平方向に拡散させることができる。
【００６６】
こうすることで、クレードル装置３は、筐体３Ａの底面部に設けられた下向きのスピーカＳＰから下方に発した音を、クレードル装置３の前方にいるリスナーに聴取させることができる。
【００６７】
またクレードル装置３は、筐体３Ａを中心として前方約２７０度の範囲で音を水平方向に拡散させて音の指向性を広くしたことにより、リスナーの位置が筐体３Ａの正面からずれていても、十分良好な音をリスナーに聴取させることができる。
【００６８】
さらに、クレードル装置３は、このように音を拡散させて指向性を広くしたことで、広がりのある音を、リスナーに聴取させることができる。
【００６９】
さらに、下向きのスピーカＳＰから下方に発せられた音の一部は、凸部７Ｂの後方傾斜部７Ｂｂの傾斜により後方に向かい、後方傾斜部７Ｂｂの後方に形成された壁部７Ｃに反射して前方に向かう。すなわち、壁部７Ｃは、後方に向かう音を、前方に反射させる反射板（リフレクター）として機能する。
【００７０】
このように、ディフューザ７は、下向きのスピーカＳＰから下方に発せられた音のうち、後方に逃げようとする音を、壁部７Ｃに反射させて前方に向かわせるようになっている。
【００７１】
この結果、クレードル装置３の前方に位置するリスナーには、ディフューザ７の凸部７Ｂの前方傾斜部７Ｂａによって前方に拡散させられた音と、壁７Ｃによって前方に反射させられた音とが合成されて届くことになる。
【００７２】
ここで、壁７Ｃの前方に凸部７Ｂが形成されていることなどから、壁７Ｃに反射した音の成分のうち、主として低域成分が前方に回り込み、結果として、前方に拡散させられた音の低域成分が増強される。
【００７３】
こうすることで、クレードル装置３は、低域成分を増強した音をリスナーに聴取させることができる。
【００７４】
また、ディフューザ７は、壁７Ｃが前方に弓なりに反っていることで、後方に逃げようとする音を、この壁７Ｃにより、前方に扇状に広がるようにして反射させることができる。
【００７５】
こうすることで、クレードル装置３は、音の指向性を狭くすることなく、壁７Ｃに反射させた音と、凸部７Ｂの前方傾斜部７Ｂａによって前方に拡散させられた音とを合成して、低音を増強することができる。
【００７６】
さらに、ディフューザ７は、後方傾斜部７Ｂｂに形成された窪みにより、後方傾斜部７Ｂｂと壁７Ｃとの間で、後方へ向かう音と壁７Ｃによって反射した音とが打ち消し合うことで生じる音の減衰を低減できるようにもなっている。
【００７７】
これにより、ディフューザ７は、壁７Ｃによって反射させた音を、効率良く前方に向かわせることができ、より効果的に音の低域成分を増強することができる。
【００７８】
ここまで説明したように、クレードル装置３は、小型の筐体３Ａの底面部にスピーカＳＰを１個設けただけの構成でありながら、ディフューザ７によって、広指向性と、豊かな低域再生とを実現している。
【００７９】
［１−４．クレードル装置の各部詳細］
次に、クレードル装置３の各部詳細について、図９及び図１０を用いて説明する。クレードル装置３は、上述したように、筐体３Ａと、ディフューザ７と、アタッチメント６とで構成される。
【００８０】
筐体３Ａは、その外装が、上端部から側面部を形成するトップカバー１０と、底面部を形成するバッフル板１１とで構成され、トップカバー１０の底に、バッフル板１１がネジで固定されるようになっている。
【００８１】
バッフル板１１は、その名の通りスピーカＳＰを取り付ける板であり、このバッフル板１１に形成された開口３Ｂから振動板ＳＰａとエッジＳＰｂとが外部に露出するようにしてスピーカＳＰが取り付けられている。
【００８２】
ここで、スピーカＳＰとバッフル板１１との間には、防振クッション１２が挟み込まれ、これにより、スピーカＳＰの振動が直接バッフル板１１及びトップカバー１０に伝わらないようになっている。
【００８３】
またトップカバー１０には、その内側の所定位置に、電源回路や増幅回路などの各種回路が形成されたメイン基板１３とコネクタ４Ｂに加わる力を吸収するシリコン製のダンパー１４とを保持するブラケット１５がネジで固定されるようになっている。
【００８４】
メイン基板１３には、ＤＣ入力端子８Ｂが固着され、このＤＣ入力端子８Ｂとメイン基板１３上の回路とが接続されている。メイン基板１３上の回路は、このＤＣ入力端子８Ｂを介してＡＣアダプタ５から供給される電力で動作するようになっている。
【００８５】
さらにこのメイン基板１３上の回路に、配線ケーブル１６を介してコネクタ基板１７が接続され、また図示しない配線ケーブルを介してスピーカＳＰが接続されるようになっている。
【００８６】
コネクタ基板１７は、長方形状でなり、上面部にコネクタ４Ｂが固着され、底面部に配線ケーブル１６が接続される。
【００８７】
このコネクタ基板１７は、側面部をコネクタホルダー１８に覆われ、この状態で、ダンパー１４に形成されている上下方向に貫通する装着穴１４Ａに挿入されることでダンパー１４に装着される。
【００８８】
この装着穴１４Ａは、コネクタホルダー１８の側面部と同形状同サイズでなり、これによりコネクタホルダー１８に覆われたコネクタ基板１６が、ダンパー１４の装着穴１４Ａに隙間なく密着するようにして装着される。
【００８９】
このように、クレードル装置３では、コネクタ４Ｂが固着されたコネクタ基板１７を、直接、筐体３Ａの内部に固定するのではなく、シリコン製のダンパー１４に装着させ、このダンパー１４を筐体３Ａの内部に固定するようにした。
【００９０】
こうすることで、実際、コネクタ４Ｂに力が加えられると、シリコン製のダンパー１４が変形してコネクタ４Ｂと共にコネクタ基板１７が傾く。これにより、コネクタ４Ｂに加えられた力が、そのままコネクタ４Ｂとコネクタ基板１７との接続部分に加わってコネクタ４Ｂが折れてしまうような状況を回避できる。
【００９１】
このようにして、クレードル装置３は、筐体３Ａのコネクタ４Ｂ周りの強度を向上させるようにもなっている。
【００９２】
またこの場合、シリコン製のダンパー１４を、コネクタ基板１７とブラケット１５との間に介在させるだけでよく、簡易な構成で強度を向上させることができるようになっている。
【００９３】
一方、ディフューザ７は、バッフル板１１にネジで固定されるようになっている。さらにこのディフューザ７の底面部には、ゴム製のリング状のフット１９が固着されていて、さらにこのフット１９の内側に、機種名などが記された機銘板２０が固着されている。
【００９４】
尚、フット１９は、機銘板２０より厚く、このフット１９が、床などに接触する部分となる。
【００９５】
［１−５．動作及び効果］
以上の構成においてクレードル装置３は、トランペット等の金管楽器の先端部分を下向きにして立てたような、末広がりの鐘状でなる筐体３Ａの底面部に下向きのスピーカＳＰを設けた構成を有している。
【００９６】
このように、筐体３Ａの底面部にのみ下向きのスピーカＳＰを設けた構成としたことで、底面部をスピーカＳＰに応じた大きさにしさえすれば、他の部分については、ＤＡＰ２を装着した状態でも倒れない範囲で、任意の大きさとすることができる。これにより、容易に筐体３Ａを小型化することができる。
【００９７】
またクレードル装置３は、筐体３Ａの底面部に、筐体３Ａの底面部との間に数ミリ程度の隙間が空くようにしてディフューザ７が取り付けられている。
【００９８】
このディフューザ７には、筐体３Ａの底面部に設けられたスピーカＳＰの振動板ＳＰａの中心と対向する位置を頂上とする山状の凸部７Ｂが形成されている。
【００９９】
クレードル装置３は、スピーカＳＰから下方に発せられた音を、この凸部７Ｂにより水平方向に拡散して、筐体３Ａの底面部とディフューザ７との間の隙間から放出する。
【０１００】
こうすることで、クレードル装置３は、スピーカＳＰから下方に発せられた音を、クレードル装置３の前方にいるリスナーに聴取させることができる。
【０１０１】
またクレードル装置３は、スピーカＳＰから発せられた音を、凸部７Ｂにより拡散することで、音の指向性を広げるようにもなっている。
【０１０２】
さらに、ディフューザ７は、凸部７Ｂの後方に形成された壁７Ｃにより、後方に逃げようとする音を、前方に反射させることで、放出される音の低域成分を増強するようになっている。
【０１０３】
かくして、クレードル装置３は、小型の筐体３Ａの底面部にスピーカＳＰを１個設けただけの構成でありながら、広指向性と、豊かな低域再生とを実現できるようになっている。
【０１０４】
以上の構成によれば、クレードル装置３は、スピーカＳＰを有しながらも容易に筐体３Ａを小型化することができ、また小型の筐体３Ａでありながら、広指向性と豊かな低域再生とを実現できるようになっている。
【０１０５】
＜２．変形例＞
［２−１．変形例１］
尚、上述した実施の形態では、ＤＡＰ２を載置するクレードル装置３に本発明を適用する場合について述べた。これに限らず、例えば、クレードル装置３から装着部４を無くして、筐体３Ａの側面部の後ろ側にスピーカ端子を設けた、スピーカ装置に本発明を適用するようにしてもよい。
【０１０６】
また、クレードル装置３から装着部４を無くして、筐体３Ａの内部に、音楽データを記憶する記憶部と、音楽データを再生する再生部と、デジタルアンプなどの音声増幅部とを設けた、音楽再生装置に本発明を適用するようにしてもよい。
【０１０７】
すなわち、筐体の底面部にのみスピーカを配置した構成であれば、この他種々の電子機器に本発明を適用することができる。
【０１０８】
［２−２．変形例２］
また、上述した実施の形態では、筐体３Ａの底面部に１個のスピーカＳＰを設けるようにしたが、これに限らず、筐体３Ａの底面部に、例えば、２個のスピーカを左右に並べて配置するなどして、複数のスピーカを設けるようにしてもよい。
【０１０９】
この場合、ディフューザ７の上面部に、それぞれのスピーカに対応する凸部を設けるなどしてもよい。
【０１１０】
［２−３．変形例３］
さらに、上述した実施の形態では、筐体３Ａの上端部に装着部４を設けるようにしたが、これに限らず、筐体３Ａの任意の位置に装着部４を設けるようにしてもよい。
【０１１１】
例えば、筐体３Ａの側面部に、前方に突出する部分を形成して、この部分に装着部４を設けるなどしてもよい。
【０１１２】
［２−４．変形例４］
さらに、上述した実施の形態では、外部接続端子としてのＤＣ入力端子８Ｂを介してＡＣアダプタ５から供給される電力で、クレードル装置３の各回路を動作させるようにした。これに限らず、例えば、ＡＣアダプタ５が接続されていないときには、コネクタ４Ｂを介してＤＡＰ２から電力を得、この電力で、クレードル装置３の各回路を動作させるようにしてもよい。
【０１１３】
また、筐体３ＡからＡＣアダプタ接続部８を無くして、ＤＡＰ２から得られる電力のみで、クレードル装置３の各回路を動作させるようにしてもよい。この場合、当然のことながら、ＤＡＰ２を充電することはできなくなるが、携帯性は向上する。
【０１１４】
また筐体３Ａの側面部の後ろ側に、ＡＣアダプタ接続部８に代えて、ＵＳＢ接続部を形成するようにして、このＵＳＢ接続部に設けられたＵＳＢ接続端子にＵＳＢケーブルを接続することで、ＵＳＢ経由で電力を得るようにしてもよい。
【０１１５】
さらにこの場合、クレードル装置３が中継役となり、クレードル装置３に載置されたＤＡＰ２と、クレードル装置３にＵＳＢ接続された機器との間で、データ通信させるようにすることもできる。
【０１１６】
［２−５．変形例５］
さらに、上述した実施の形態では、シリコン製のダンパー１４にコネクタホルダー１８に覆われたコネクタ基板１７を装着するようにした。
【０１１７】
これに限らず、コネクタ４Ｂに加えられた力を吸収できる弾性素材のダンパーであれば、シリコン以外のゴム製のダンパーを用いたり、ダンパーの代わりにバネを用いたりしてもよい。
【０１１８】
［２−６．変形例６］
さらに上述した実施の形態では、筐体３Ａの形状を、トランペット等の金管楽器の先端部分を下向きにして立てたような、末広がりの鐘状とした。これに限らず、底面部にのみスピーカＳＰが設けられていれば、樽型、円柱型、円錐型、箱型など、この他種々の形状としてもよい。
【０１１９】
［２−７．変形例７］
さらに、上述した実施の形態では、ディフューザ７の上面部の凸部７Ｂ後方に壁部７Ｃを設けるようにして、この壁部７Ｃにより、後方に逃げようとする音を前方に反射させるようにした。
【０１２０】
これに限らず、この壁部７Ｃをディフューザ７の上面部から無くしてもよい。このようにすると、音が後方に逃げて、低域成分は増強されなくなるが、その分、筐体３Ａの後方にも音が放出されて、音の指向性が広がる。またこの場合、壁部７Cが無いので、凸部７Ｂの後方傾斜部７Ｂｂを前方傾斜部７Ｂａと同様の傾斜にしてもよい。
【０１２１】
また、これに限らず、凸部７Ｂの頂上の位置や高さ、傾斜の形状、前方傾斜部７Ｂａ及び後方傾斜部７Ｂｂの範囲、壁部７Ｃの長さ、高さ、反り、柱部７Ａの位置、数、形状、高さなどを、上述した実施の形態とは変えるようにしてもよい。
【０１２２】
実際、これらを変えると、クレードル装置３から出る音が変わる。ゆえに、オーディオシステム１で要求される指向性、低音の量などに応じて、これらを変えるようにすればよい。
【０１２３】
例えば、壁７Ｃを、前方ではなく後方に反らせたり、凸部７Ｂの頂上の位置を、壁部７Ｃの中央に移動させたり、柱部７Ａを、前方の左右と後方の中央の計３箇所に設けるようにしたりしてもよい。
【０１２４】
さらに、ディフューザ７自体の形状についても、上述した実施の形態では円形としたが、これに限らず、三角形や四角形など、この他種々の形状であってもよい。
【０１２５】
［２−８．変形例８］
さらに、上述した実施の形態では、筐体３Ａの底面部に、ディフューザ７をネジで固定するようにした。これに限らず、筐体３Ａとディフューザ７とを一体成型するようにしてもよい。この場合、例えば、ディフューザ７と一体成型された筐体３Ａを、前側のパーツと後ろ側のパーツとで構成して、これらをネジで固定するようにしてもよい。
【０１２６】
［２−９．変形例９］
さらに、上述した実施の形態では、筐体３Ａの底面部と平行にして、ディフューザ７を、底面部に取り付けるようにした。この場合、筐体３Ａの底面部は、設置面と平行になる。
【０１２７】
これに限らず、例えば、ディフューザ７の柱部７Ａのうち、前方の柱部７Ａを、後方の柱部７Ａより高くするなどして、筐体３Ａの底面部を、前側が上がるように傾斜させるようにしてもよい。
【０１２８】
このようにすれば、スピーカＳＰの振動板ＳＰａの向きが、真下ではなく、前方に傾くことになるので、前方に音を拡散させ易くすることができる。
【０１２９】
［２−１０．変形例１０］
さらに、上述した実施の形態では、裸のＤＡＰ２でもシリコンカバーやクリアケースに入れられたままのＤＡＰ２でも安定した状態でクレードル装置３に装着できるように、アタッチメント６を用意した。
【０１３０】
これに限らず、この他種々の形状でなるＤＡＰ２のそれぞれに対応するアタッチメントを用意するようにしてもよい。
【０１３１】
［２−１１．変形例１１］
さらに、本発明は、上述した実施の形態と変形例とに限定されるものではない。すなわち本発明は、上述した実施の形態と変形例の一部または全部を任意に組み合わせた形態、もしくは一部を抽出した形態にもその適用範囲が及ぶものとする。
【産業上の利用可能性】
【０１３２】
本発明は、例えば、スピーカを搭載したクレードル装置として広く利用することができる。
【符号の説明】
【０１３３】
１……オーディオシステム、２……ＤＡＰ、３……クレードル装置、３Ａ……筐体、４……装着部、４Ｂ……コネクタ、５……ＡＣアダプタ、６……アタッチメント、７……ディフューザ、７Ｂ……凸部、７Ｃ……壁部、１４……ダンパー、ＳＰ……スピーカ、ＳＰａ……振動板。
【図１】
0005640593.tif 000002
【図２】
0005640593.tif 000003
【図３】
0005640593.tif 000004
【図４】
0005640593.tif 000005
【図５】
0005640593.tif 000006
【図６】
0005640593.tif 000007
【図７】
0005640593.tif 000008
【図８】
0005640593.tif 000009
【図９】
0005640593.tif 000010
【図１０】
0005640593.tif 000011